(57)【要約】【課題】処理受付部が、表示領域中の全ての領域に自由に配置される場合に比して、使用者が誤って処理の指示をしてしまうのを抑制する。【解決手段】制御部は、ホーム画面の表示領域に配置するワンタッチ選択用ボタン２１がダイレクトスタートのワンタッチ選択用ボタン２１（例示「ワンタッチメール送信」）である場合、ダイレクトスタートのワンタッチ選択用ボタン２１が、確認画面を表示するワンタッチ選択用ボタン２１が配置可能な所定の領域（例えば、表示領域の中央部に対して左上側の領域）に配置されることを禁止し、確認画面を表示するワンタッチ選択用ボタン２１が配置可能な所定の領域以外の領域に、ダイレクトスタートのワンタッチ選択用ボタン２１を配置する。【選択図】図９
2015114915.tif 000002
【特許請求の範囲】
【請求項１】
所定の処理を行う処理手段と、
第１の処理の指示を受け付ける第１の処理受付部と第２の処理の指示を受け付ける第２の処理受付部とを表示領域に表示する表示手段とを備え、
前記第１の処理は当該第１の処理の指示を受けた後、再度指示を受けた後に処理を実行するものである一方、前記第２の処理は当該第２の処理の指示を受けた後に、再度の指示を受けずに処理を実行するものであるとともに、前記第２の処理受付部は前記表示領域における、前記第１の処理受付部が配置可能な所定の領域に配置されることを禁止されている処理装置。
【請求項２】
前記所定の領域は、前記表示領域の中央に比して左上側に設定されている請求項１に記載の処理装置。
【請求項３】
所定の処理を行う処理手段と、
第１の処理の指示を受け付ける第１の処理受付部と第２の処理の指示を受け付ける第２の処理受付部とを表示領域に表示するとともに、第１の表示画面および第２の表示画面を表示する表示手段とを備え、
前記第１の処理は当該第１の処理の指示を受けた後、再度指示を受けた後に処理を実行するものである一方、前記第２の処理は当該第２の処理の指示を受けた後、再度の指示を受けずに処理を実行するものであり、前記第１の処理受付部は前記第１の表示画面および前記第２の表示画面の両方の表示領域に配置可能である一方、前記第２の処理受付部は、当該第１の表示画面の表示領域への配置が禁止される処理装置。
【請求項４】
前記第１の表示画面は、前記第２の表示画面よりも優先して表示される表示画面である請求項３に記載の処理装置。
【請求項５】
前記第２の処理受付部は、前記処理手段による処理の利用状況に基づいて、配置が禁止された領域へ配置の禁止が解除される／できる請求項１から４のうちいずれか１項に記載の処理装置。
【請求項６】
所定の処理を行う処理手段と、
処理の指示を受け付ける処理受付部を作成する作成部と、
前記処理受付部を表示領域に表示する表示手段とを備え、
前記処理受付部の作成者と表示画面の使用者とが異なる場合には、当該処理受付部は、前記表示領域のうち所定の領域への配置が禁止されている処理装置。
【請求項７】
前記所定の領域は、前記表示領域の中央に比して左上側に設定されている請求項６に記載の処理装置。
【請求項８】
所定の処理を行う処理手段と、
処理の指示を受け付ける処理受付部を作成する作成部と、
前記処理受付部を表示領域に表示するとともに、第１の表示画面および第２の表示画面を表示する表示手段とを備え、
前記処理受付部の作成者と表示画面の使用者とが異なる場合には、当該処理受付部は、前記第１の表示画面の表示領域への配置が禁止されている処理装置。
【請求項９】
前記第１の表示画面は、前記第２の表示画面よりも優先して表示される表示画面である請求項８に記載の処理装置。
【請求項１０】
前記処理受付部は、前記処理手段による処理の利用状況に基づいて、配置が禁止された領域へ配置の禁止が解除される／できる請求項６から９のうちいずれか１項に記載の処理装置。
【請求項１１】
コンピュータに、
所定の処理手段に行わせる機能と、
第１の処理の指示を受け付ける第１の処理受付部と第２の処理の指示を受け付ける第２の処理受付部とを表示手段の表示領域に表示させる機能と、
前記第１の処理は当該第１の処理の指示を受けた後、再度指示を受けた後に処理を実行するものである一方、前記第２の処理は当該第２の処理の指示を受けた後に、再度の指示を受けずに処理を実行するものであるとともに、前記第２の処理受付部を、前記表示領域における、前記第１の処理受付部が配置可能な所定の領域に配置することを禁止する機能と、を実現させるプログラム。
【請求項１２】
コンピュータに、
所定の処理を処理手段に行わせる機能と、
第１の処理の指示を受け付ける第１の処理受付部と第２の処理の指示を受け付ける第２の処理受付部とを表示手段の表示領域に表示させるとともに、第１の表示画面および第２の表示画面を当該表示手段に表示させる機能と、
前記第１の処理は当該第１の処理の指示を受けた後、再度指示を受けた後に処理を実行するものである一方、前記第２の処理は当該第２の処理の指示を受けた後、再度の指示を受けずに処理を実行するものであり、前記第１の処理受付部を前記第１の表示画面および前記第２の表示画面の両方の表示領域に配置可能とする一方、前記第２の処理受付部を当該第１の表示画面の表示領域へ配置することを禁止する機能と、を実現させるプログラム。
【請求項１３】
コンピュータに、
所定の処理を処理手段に行わせる機能と、
処理の指示を受け付ける処理受付部を作成する機能と、
前記処理受付部を表示手段の表示領域に表示させる機能と、
前記処理受付部の作成者と表示画面の使用者とが異なる場合には、当該処理受付部を、前記表示領域のうち所定の領域へ配置することを禁止する機能と、を実現させるプログラム。
【請求項１４】
コンピュータに、
所定の処理を処理手段に行わせる機能と、
処理の指示を受け付ける処理受付部を作成する機能と、
前記処理受付部を表示手段の表示領域に表示させるとともに、第１の表示画面および第２の表示画面を当該表示手段に表示させる機能と、
前記処理受付部の作成者と表示画面の使用者とが異なる場合には、当該処理受付部を、前記第１の表示画面の表示領域へ配置することを禁止する機能と、を実現させるプログラム。
【発明の詳細な説明】
【技術分野】
【０００１】
本発明は、処理装置およびプログラムに関する。
【背景技術】
【０００２】
従来、ジョブ実行までの一連の操作に対応した画面フロー作成情報を取得して記憶し、後に、記憶された画面フロー作成情報に基づいて作成された画面フローを作成し、操作支援を行う画像形成装置がある（例えば、特許文献１参照）。
また、ユーザが、一方の機器が有しないが当該他方の機器が有する機能を、当該一方の機器から利用する際に、当該機能に対応して当該他方の機器に設定されているユーザインターフェースのデータが当該一方の機器に送信され、当該一方の機器が、送信されたユーザインターフェースを当該一方の機器に適合するように修正して設定することで、ユーザの操作性を向上させる画像処理装置がある（例えば、特許文献２参照）。
【先行技術文献】
【特許文献】
【０００３】
【特許文献１】特開２０１１−０５１１６３号公報
【特許文献２】特開２０１１−２４２８５４号公報
【発明の概要】
【発明が解決しようとする課題】
【０００４】
本発明は、処理受付部を、表示領域中の全ての領域に自由に配置させる場合に比して、使用者が誤って処理の指示をしてしまうのを抑制することを目的とする。
【課題を解決するための手段】
【０００５】
請求項１に係る発明は、所定の処理を行う処理手段と、第１の処理の指示を受け付ける第１の処理受付部と第２の処理の指示を受け付ける第２の処理受付部とを表示領域に表示する表示手段とを備え、前記第１の処理は当該第１の処理の指示を受けた後、再度指示を受けた後に処理を実行するものである一方、前記第２の処理は当該第２の処理の指示を受けた後に、再度の指示を受けずに処理を実行するものであるとともに、前記第２の処理受付部は、前記表示領域における、前記第１の処理受付部が配置可能な所定の領域に配置されることを禁止されている処理装置である。
請求項２に係る発明は、前記所定の領域は、前記表示領域の中央に比して左上側に設定されている請求項１に記載の処理装置である。
請求項３に係る発明は、所定の処理を行う処理手段と、第１の処理の指示を受け付ける第１の処理受付部と第２の処理の指示を受け付ける第２の処理受付部とを表示領域に表示するとともに、第１の表示画面および第２の表示画面を表示する表示手段とを備え、前記第１の処理は当該第１の処理の指示を受けた後、再度指示を受けた後に処理を実行するものである一方、前記第２の処理は当該第２の処理の指示を受けた後、再度の指示を受けずに処理を実行するものであり、前記第１の処理受付部は前記第１の表示画面および前記第２の表示画面の両方の表示領域に配置可能である一方、前記第２の処理受付部は、当該第１の表示画面の表示領域への配置が禁止される処理装置である。
請求項４に係る発明は、前記第１の表示画面は、前記第２の表示画面よりも優先して表示される表示画面である請求項３に記載の処理装置である。
請求項５に係る発明は、前記第２の処理受付部は、前記処理手段による処理の利用状況に基づいて、配置が禁止された領域へ配置の禁止が解除される／できる請求項１から４のうちいずれか１項に記載の処理装置である。
請求項６に係る発明は、所定の処理を行う処理手段と、処理の指示を受け付ける処理受付部を作成する作成部と、前記処理受付部を表示領域に表示する表示手段とを備え、前記処理受付部の作成者と表示画面の使用者とが異なる場合には、当該処理受付部は、前記表示領域のうち所定の領域への配置が禁止されている処理装置である。
請求項７に係る発明は、前記所定の領域は、前記表示領域の中央に比して左上側に設定されている請求項６に記載の処理装置である。
請求項８に係る発明は、所定の処理を行う処理手段と、処理の指示を受け付ける処理受付部を作成する作成部と、前記処理受付部を表示領域に表示するとともに、第１の表示画面および第２の表示画面を表示する表示手段とを備え、前記処理受付部の作成者と表示画面の使用者とが異なる場合には、当該処理受付部は、前記第１の表示画面の表示領域への配置が禁止されている処理装置である。
請求項９に係る発明は、前記第１の表示画面は、前記第２の表示画面よりも優先して表示される表示画面である請求項８に記載の処理装置である。
請求項１０に係る発明は、前記処理受付部は、前記処理手段による処理の利用状況に基づいて、配置が禁止された領域へ配置の禁止が解除される／できる請求項６から９のうちいずれか１項に記載の処理装置である。
請求項１１に係る発明は、コンピュータに、所定の処理手段に行わせる機能と、第１の処理の指示を受け付ける第１の処理受付部と第２の処理の指示を受け付ける第２の処理受付部とを表示手段の表示領域に表示させる機能と、前記第１の処理は当該第１の処理の指示を受けた後、再度指示を受けた後に処理を実行するものである一方、前記第２の処理は当該第２の処理の指示を受けた後に、再度の指示を受けずに処理を実行するものであるとともに、前記第２の処理受付部を、前記表示領域における、前記第１の処理受付部が配置可能な所定の領域に配置することを禁止する機能と、を実現させるプログラムである。
請求項１２に係る発明は、コンピュータに、所定の処理を処理手段に行わせる機能と、第１の処理の指示を受け付ける第１の処理受付部と第２の処理の指示を受け付ける第２の処理受付部とを表示手段の表示領域に表示させるとともに、第１の表示画面および第２の表示画面を当該表示手段に表示させる機能と、前記第１の処理は当該第１の処理の指示を受けた後、再度指示を受けた後に処理を実行するものである一方、前記第２の処理は当該第２の処理の指示を受けた後、再度の指示を受けずに処理を実行するものであり、前記第１の処理受付部を前記第１の表示画面および前記第２の表示画面の両方の表示領域に配置可能とする一方、前記第２の処理受付部を当該第１の表示画面の表示領域へ配置することを禁止する機能と、を実現させるプログラムである。
請求項１３に係る発明は、コンピュータに、所定の処理を処理手段に行わせる機能と、処理の指示を受け付ける処理受付部を作成する機能と、前記処理受付部を表示手段の表示領域に表示させる機能と、前記処理受付部の作成者と表示画面の使用者とが異なる場合には、当該処理受付部を、前記表示領域のうち所定の領域へ配置することを禁止する機能と、を実現させるプログラムである。
請求項１４に係る発明は、コンピュータに、所定の処理を処理手段に行わせる機能と、処理の指示を受け付ける処理受付部を作成する機能と、前記処理受付部を表示手段の表示領域に表示させるとともに、第１の表示画面および第２の表示画面を当該表示手段に表示させる機能と、前記処理受付部の作成者と表示画面の使用者とが異なる場合には、当該処理受付部を、前記第１の表示画面の表示領域へ配置することを禁止する機能と、を実現させるプログラムである。
【発明の効果】
【０００６】
請求項１に係る発明によれば、処理受付部を、表示領域中の全ての領域に自由に配置させる場合に比して、使用者が誤って処理の指示をしてしまうのを抑制する。
請求項２に係る発明によれば、表示領域の中央に比して左上側以外へ配置するのを禁止する場合に比して、使用者が誤って処理の指示をしてしまうのを抑制する。
請求項３に係る発明によれば、２つの表示画面の両方の表示領域に配置する場合に比して使用者が誤って処理の指示をしてしまうのを抑制する。
請求項４に係る発明によれば、優先的に表示される第１の表示画面の表示領域に配置する場合に比して使用者が誤って処理の指示をしてしまうのを抑制する。
請求項５に係る発明によれば、処理手段による処理の利用状況に応じて、第２の処理受付部を、配置が禁止された領域へ配置することが可能となる。
請求項６に係る発明によれば、処理受付部が使用者以外の作成者によって作成されている場合に、使用者が誤ってその処理の指示をしてしまうのを抑制する。
請求項７に係る発明によれば、表示領域の中央に比して左上側以外へ配置するのを禁止する場合に比して、使用者が誤って処理の指示をしてしまうのを抑制する。
請求項８に係る発明によれば、処理受付部が使用者以外の作成者によって作成されている場合に、２つの表示画面の両方の表示領域に配置する場合に比して使用者が誤って処理の指示をしてしまうのを抑制する。
請求項９に係る発明によれば、優先的に表示される第１の表示画面の表示領域に配置する場合に比して使用者が誤って処理の指示をしてしまうのを抑制する。
請求項１０に係る発明によれば、処理手段による処理の利用状況に応じて、使用者以外の作成者によって作成されている処理受付部を、配置が禁止された領域へ配置することが可能となる。
請求項１１に係る発明によれば、処理受付部を、表示領域中の全ての領域に自由に配置させる場合に比して、使用者が誤って処理の指示をしてしまうのを抑制する。
請求項１２に係る発明によれば、２つの表示画面の両方の表示領域に配置する場合に比して使用者が誤って処理の指示をしてしまうのを抑制する。
請求項１３に係る発明によれば、処理受付部が使用者以外の作成者によって作成されている場合に、使用者が誤ってその処理の指示をしてしまうのを抑制する。
請求項１４に係る発明によれば、処理受付部が使用者以外の作成者によって作成されている場合に、２つの表示画面の両方の表示領域に配置する場合に比して使用者が誤って処理の指示をしてしまうのを抑制する。
【図面の簡単な説明】
【０００７】
【図１】本発明の実施の形態１に係る画像形成装置のハードウェア構成を例示したブロック図である。
【図２】表示部における表示例を示した図である。
【図３】図２にて示したホーム画面上の選択用ボタン「コピー」がユーザにより選択された後の表示画面の一例を示した図である。
【図４】表示部における表示例を示した図である。
【図５】図２にて示したホーム画面上の選択用ボタン「ボックス保存」が選択された際の表示画面の一例を示した図である。
【図６】第２タブが選択された際の表示画面の一例を示した図であり、（Ａ）はボックス保存に際して設定可能な他の設定項目、（Ｂ）はファイル名入力用の表示画面をそれぞれ示す図である。
【図７】選択用ボタン「個人プリント」が選択された後の表示画面の一例を示した図である。
【図８】ファイルが選択された後の表示画面の一例を示した図である。
【図９】ワンタッチ選択用ボタンをユーザが作成する際の表示画面の一例を示した図であり、（Ａ）はメール送信時の画面、（Ｂ）はワンタッチ選択用ボタン作成画面、（Ｃ）はワンタッチ選択用ボタンがホーム画面に表示された状態、をそれぞれ示す図である。
【図１０】ワンタッチ選択用ボタンの一覧の一例を示した図である。
【図１１】ワンタッチ選択用ボタンを作成する際に、制御部により実行される処理の一例を示したフローチャートである。
【図１２】ワンタッチ選択用ボタンを作成する際に表示部に表示される表示画面を示した図である。
【図１３】ワンタッチ選択用ボタンをホーム画面に表示する際に、制御部により実行される処理の一例を示したフローチャートである。
【図１４】作成されたワンタッチ選択用ボタンがホーム画面に表示された状態を示す図である。
【図１５】ホーム画面に、後から、確認画面を表示するワンタッチ選択用ボタンが配置された場合の一例を説明する図である。
【図１６】実施の形態２において、ワンタッチ選択用ボタンをホーム画面に表示する際に、制御部により実行される処理の一例を示したフローチャートである。
【図１７】ホーム画面に選択用ボタンが配置された状態の一例を示す図であり、（Ａ）は表示部にホーム画面の第１ページが表示された状態、（Ｂ）は表示部にホーム画面の第２ページが表示された状態、をそれぞれ表す図である。
【図１８】実施の形態３において、ワンタッチ選択用ボタンをホーム画面に表示する際に、制御部により実行される処理の一例を示したフローチャートである。
【図１９】他者に作成されたワンタッチ選択用ボタンがホーム画面に表示された状態の一例を示す図である。
【図２０】実施の形態４において、ワンタッチ選択用ボタンをホーム画面に表示する際に、制御部により実行される処理の一例を示したフローチャートである。
【図２１】ホーム画面に選択用ボタンが配置された状態の一例を示す図であり、（Ａ）は表示部にホーム画面の第１ページが表示された状態、（Ｂ）は表示部にホーム画面の第２ページが表示された状態、をそれぞれ表す図である。
【図２２】実施の形態５において、ワンタッチ選択用ボタンをホーム画面の表示領域で移動する際に、制御部により実行される処理の一例を示したフローチャートである。
【発明を実施するための形態】
【０００８】
以下、添付図面を参照して、本発明の実施の形態について説明する。
［実施の形態１］
図１は、本発明の実施の形態に係る画像形成装置１０のハードウェア構成を例示したブロック図である。
本実施の形態の画像形成装置１０には、制御部１００、記憶部１０５、表示部１０７、画像読取部１０８、画像形成部１０９、通信部１１０および画像処理部１１１が設けられている。なお、これらの各機能部は、バス１０１に接続されており、このバス１０１を介してデータの授受を行う。
【０００９】
制御部１００は、画像形成装置１０に設けられた上記各機能部の制御を行う。
ここで、制御部１００は、ＣＰＵ（Central Processing Unit）１０２、ＲＯＭ（Read Only Memory）１０３およびＲＡＭ（Random Access Memory）１０４により構成されている。ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。
ＣＰＵ１０２により制御プログラムが実行されると、画像形成装置１０の各機能部である記憶部１０５、表示部１０７、画像読取部１０８、画像形成部１０９、通信部１１０および画像処理部１１１が制御される。これにより、例えば、表示部１０７に予め定められた表示がなされ、また、記録媒体である例えば用紙への画像の形成が行われる。また、画像読取部１０８にセットされた原稿の読み取りなどが行われる。
【００１０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、このプログラムは、インターネットなどの通信手段を用いて画像形成装置１０等にダウンロードさせてもよい。
【００１１】
表示部１０７は、例えば液晶のタッチパネルディスプレイにより構成され、制御部１００の制御の下、例えば画像形成装置１０に関するデータを表示する。また、表示部１０７は、ユーザからの操作を受け付けるための表示画面を表示し、この表示画面を介し、ユーザからの操作を受け付ける。なお、表示画面は、ユーザを識別する情報の入力により、そのユーザ用の表示画面が表示される。
ユーザを識別する情報の入力としては、例えば、ユーザごとに割り当てられた識別番号（ＩＤ（Identification）番号）が記録され、ユーザがそれぞれ所有するＩＤカードを、図示しない例えばＩＤカード読み取り機にかざすことで、ＩＤカード読み取り機によりＩＤカードに記録されたＩＤ番号を読み取る方式や、ユーザごとに登録された識別番号やパスワードをユーザ自身が表示画面に入力する方式などを適用することができる。なお、他の方式でユーザを識別する情報を入力してもよい。また、表示部１０７は、後述するワンタッチ選択用ボタン２１や選択用ボタン２１等もその表示画面の表示領域に表示する。
【００１２】
画像読取部１０８は、文書を読み取り、その読み取って得られた文書の画像を表す画像データを生成する画像読取装置（スキャナ装置）を備えており、生成した画像データを画像処理部１１１へ出力する。
画像形成部１０９は、電子写真方式等によって記録媒体である例えば用紙に対して画像データに応じたトナー像を形成する画像形成機構を備えている。
通信部１１０は、図示しない通信回線に接続されており、通信回線に接続されている他の装置と通信を行う通信インターフェースとして機能する。
画像処理部１１１は、入力される画像データに対して色補正や階調補正等の画像処理を施すものであり、画像処理が施された画像データを生成して画像形成部１０９へ出力する。
記憶部１０５は、ハードディスク装置などの記憶装置を具備しており、例えば通信部１１０で受信したデータや画像形成装置１０で生成されたデータ等を記憶する。
【００１３】
図２は、表示部１０７における表示例を示した図である。表示部１０７には、ユーザを識別する情報の入力により、そのユーザ用に登録された表示画面の一例として、同図に示すホーム画面が表示されている。図示のホーム画面は、表示画面の左上部分に、「Taro Fuji」と表示されているが、これは、識別されたユーザである「Taro Fuji」用の表示画面である。
このホーム画面には、アイコンで表された複数の選択用ボタン２１が表示されている。これらの選択用ボタン２１のいずれかがユーザにより選択（タッチパネルの押圧）されることで、選択用ボタン２１に関連付けられている処理の指示を受け付け、処理に対応した機能が実行される。選択用ボタン２１は、処理受付部の一例である。
【００１４】
具体的には、図２に示したホーム画面には、「コピー」、「ボックス保存」、「ＩＤカードコピー」、「メディアアクセス」、「メール」、「プリント」、「ＰＣ保存」および「ファックス」という処理にそれぞれ対応した選択用ボタン２１が表示されている。本実施の形態では、これらの選択用ボタン２１のうちいずれかがユーザにより選択されると、選択された選択用ボタン２１に対応する処理の、詳細な設定、確認を行うための画面がさらに表示される。その後、スタートボタン等の予め定められたボタンがユーザにより押圧されることで、コピーなどの処理が開始される。
【００１５】
本実施の形態のホーム画面は、複数のページにより構成されており、図２にて示す表示画面のうちの選択用ボタン２１以外の所謂「地」の部分（背景の部分）をユーザが指で押しながら、この「地」の部分を図中左方向に押し出す操作を入力することで、制御部１００が表示画面を他のページの表示画面に切り替えるように制御している。すなわち、本実施の形態では、いわゆるフリック操作によって、ホーム画面のページの切り替えを行えるようになっている。ページの切り替えが行われると、フリック操作の前のページでは現われていなかった他の選択用ボタン２１が現れるようになる。
また、本実施の形態の表示部１０７では、選択用ボタン２１の各々を、操作によって移動できるようになっている。具体的には、選択用ボタン２１を指で押した状態で、この指を移動させることで、選択用ボタン２１を移動させることができるようになっている。すなわち、本実施の形態では、ドラッグアンドドロップの操作によって、選択用ボタン２１の移動が行われるようになっている。
本実施の形態では、ユーザが選択用ボタン２１を予め定められた時間以上押し続け、または選択用ボタン２１のいずれかが選択されている状態で、画面の右上に位置する歯車状の記号（符号２Ａで示す記号）を押すと、表示画面が切り替わる。切り替わった表示画面では、この選択用ボタン２１に関連付けられている処理の機能の詳細な設定をユーザが行えるようになる。
【００１６】
図３は、図２に示した「コピー」の選択用ボタン２１がユーザにより選択（押圧）された後の表示画面を示した図である。この表示画面では、符号３Ａ、３Ｂで示すように、２つのタブ（以下、「第１タブ３Ａ」、「第２タブ３Ｂ」と称する）が設けられた構成となっている。このようにタブが２つだけであると、２つのうちいずれか一方のタブには、ユーザが必要とするボタン（操作しようとするボタン）が存在することになる。
つまり、表示されている側のタブには、ユーザが必要とするボタン（操作しようとするボタン）が存在しない場合であっても、他方のタブに移動すれば、その移動先のタブには、ユーザが必要とするボタンが必ず存在することとなる。したがって、タブが４つ、５つなどというように３つ以上ある場合に比べて、ユーザは、必要とするボタン（操作しようとするボタン）が存在するタブを選択するまでのタブの移動の回数を減らすことができる。すなわち、タブが数多くあると、ユーザは、どのタブにどの機能が入っているかを把握しづらくなるが、本実施の形態のようにタブが２つだけであると、ユーザは必要とする機能がいずれのタブに存在するかを把握し易くなる。
【００１７】
ここで、表示部１０７は、第１タブ３Ａが選択されている状態で、図３に示すように、「両面／片面/製本」、「コピー部数」、「Ｎアップ数（１ページへの集約ページ数）」、「倍率」、「カラーモード」、「用紙選択」、「ホチキス」などの設定項目を表示する。すなわち、第１タブ３Ａが選択されている際の表示画面では、ユーザによって変更される頻度が相対的に高いと思われる設定項目が表示されるようになっている。
一方、変更される頻度が相対的に低いと思われる設定項目は、図４（表示部１０７における表示例を示した図）に示すように、第２タブ３Ｂが選択された際の表示画面に表示される。
図４に示す表示画面では、各設定項目（ユーザが設定を行う各項目）が、画面の縦方向に並べられて表示されている。すなわち、各設定項目はリスト形式で表示されている。なお、図４に示す表示画面では、図中下方向にスクロールすることで、隠れている設定項目が表示されるようになる。
【００１８】
ここで、第２タブ３Ｂが選択された際の表示画面では、一つの方向（図中、下方向）に、スクロールすることで他の設定項目も表示される。これにより、ユーザは、自身が探している設定項目を見つけ易くなる。例えば、各設定項目をボタン形式で表示するとともに格子状に並べて配置することも考えられるが、この場合、ユーザは、視線を上下方向だけでなく左右方向にも移動させる必要がある。
一方、本実施の形態は、一方向（上下方向）にスクロールさせて設定項目を表示するため視線の移動方向が一方向となる。したがって、本実施の形態は、視線の移動方向が二方向の場合よりも視線の移動方向を限定することができる。
【００１９】
図５は、図２にて示したホーム画面上の「ボックス保存」がユーザにより選択された際の表示画面を示した図である。ホーム画面上の「ボックス保存」がユーザにより選択されると、図５に示すように、ユーザ名が付された選択用ボタン２１が複数表示された表示画面に切り替わる。この表示画面では、「コピー」の選択用ボタン２１がユーザにより選択されたとき（図３，４参照）と同様に、２つのタブ（以下、「第１タブ５Ａ」、「第２タブ５Ｂ」と称する）が設けられた構成となっている。なお、図５は、第１タブ５Ａが選択されている状態を示している。
また、本実施の形態では、「ボックス保存」がユーザにより選択されて表示画面が切り替わると、最初に第１タブ５Ａに対応した表示画面が表示されるようになっている。そして、本実施の形態では、第１タブ５Ａに対応した表示画面が表示されている状態で、ユーザにより第２タブ５Ｂが選択されることで、第２タブ５Ｂに対応した表示画面が表示される。
【００２０】
ここで、ボックス保存とは、画像読取部１０８（図１参照）を用いて原稿を読み取ることにより生成された画像データを、記憶部１０５に保存する処理をいう。この際、図５にて示されている選択用ボタン２１のいずれかがユーザにより選択されることで、画像データの保存先がユーザにより指定され、この指定された保存先に画像データが格納される。
なお、この保存先の選択がなされるまでは、図５にて表示されている各選択用ボタン２１はいずれも選択されていないオフ状態（「地」の色と略同じ色）となっている。そして、保存先の選択がなされると、選択された選択用ボタン２１が選択されたオン状態となって、地の色が他の色に切り替わり、オン状態であることをユーザに識別させる。また、図５に示す表示画面は、画面の最下部に、ユーザによって変更される頻度の高い設定項目（「カラーモード」、「原稿の送りモード」、「読み取り解像度」）を表示している。これらの設定項目については、画面の切り替えを行わずに（第２タブ５Ｂを選択せずに）、その内容を変更できるようになっている。
【００２１】
図６は、第２タブ５Ｂが選択された際の表示画面を示した図である。図６（Ａ）に示すように、第２タブ５Ｂが選択された場合には、ボックス保存に際して設定可能な他の設定項目が表示される。なお、この場合も、上記と同様の各々の設定項目はリスト形式で表示される。ここで、本実施の形態では、画像読取部１０８にて読み取りを行う原稿毎に、ファイル名を付けられるようになっている。
また、本実施の形態では、図６（Ａ）における「ファイル名」の設定項目が選択されると、同図（Ｂ）に示すように、ファイル名入力用の表示画面が表示される。本実施の形態では、この表示画面を介し、ユーザは、希望するファイル名を入力する。
【００２２】
次に、個人プリントについて説明する。個人プリントでは、ユーザが有するＰＣ（Personal Computer）などにて生成された画像データが、画像形成装置１０に送信され、画像形成装置１０の記憶部１０５（図１参照）に一旦記憶される。そして、ユーザが表示部１０７を介して開始指示を入力することで、用紙等への画像形成が開始される。
個人プリントでは、ユーザが画像形成装置１０の傍にいる状態にて画像形成がなされるため、ユーザは、印刷物が印刷された直後にこの印刷物を取得できるようになる。かかる場合、このユーザ以外の他の者が、この印刷物を取得することが起きにくくなる。個人プリントが行われる際には、図２にて示したホーム画面が操作され、「個人プリント」の選択用ボタン（図２では不図示）がユーザにより選択される。そして、この「個人プリント」の選択用ボタンが選択されると、図７（「個人プリント」が選択された後の表示画面を示した図）に示す表示画面に切り替わる。
【００２３】
ここで、図７にて示す、切り替え後の表示画面では、記憶部１０５に記録されている複数の画像データ（印刷ジョブ）のファイル名がリスト形式で表示される。すなわち、表示部１０７には、縦方向に並べられた状態でファイル名の各々が表示される。また、ファイル名の図中左横には、印刷後の用紙の状態を示すプレビュー画面が表示される。
ここで、図７にて示した複数のファイルのうちの一つが選択されると、図８（ファイルが選択された後の表示画面を示した図）に示す画面に切り替わる。この表示画面では、画面の下半分に設定項目が表示される。具体的には、この例では、「プリント部数」、「カラーモード」、「両面印刷の有無」の３つの設定項目が表示される。
【００２４】
さらに、表示画面の右上にはファイル名が表示され、表示画面の左上には印刷後の用紙の状態を示すプレビュー画面が表示される。なお、本実施の形態では、この図８に示す表示画面にて、上記３つの設定項目の各々を変更できるようになっているとともに、変更を行うと、この変更に応じて、プレビュー画面も変化する。すなわち、本実施の形態では、設定項目の変更に応じて、プレビュー画面が動的に変化する。
ここで、本実施の形態では、このように、ファイルがリスト形式で表示され、次いで、ユーザが印刷を希望するファイルを選択する。そして、この選ばれたファイルについて印刷がなされる。
なお、図示は省略するが、本実施の形態では、「個人一括プリント」という選択用ボタン２１もホーム画面上に用意されている。本実施の形態では、この選択用ボタン２１が押圧されると、未出力の蓄積文書（ファイル）が一括で印刷される。すなわち、本実施の形態では、個人プリントに関し、「個人プリント（リスト表示）」、「個人一括プリント」の２種類の選択用ボタン２１が用意されている。
【００２５】
ところで、本実施の形態の画像形成装置１０では、既に用意されている選択用ボタン２１の他に、新たな選択用ボタン２１をユーザが作成できるようになっている。例えば、ユーザが頻繁に行う処理を、送信宛先やコピー枚数等のパラメータなどを設定して新たな選択用ボタン２１として登録しておくことができる。それらの登録された選択用ボタン２１をユーザが選択（押下）することによって、登録した処理を呼び出すことができ、処理の度に行っていたパラメータなどの詳細を設定する操作を省くことができる。
このようにユーザによって新たに作成、登録された選択用ボタン２１を、以下、「ワンタッチ選択用ボタン２１」という。本実施の形態では、後述するように、ワンタッチ選択用ボタン２１として、第２の処理受付部の一例としてのダイレクトスタートのワンタッチ選択用ボタン２１と、第１の処理受付部の一例としての非ダイレクトスタートのワンタッチ選択用ボタン２１とを作成することができる。
【００２６】
ダイレクトスタートのワンタッチ選択用ボタン２１は、ユーザがワンタッチ選択用ボタン２１の選択を行うだけで、そのワンタッチ選択用ボタン２１に関連付けられた処理の指示を受けた後、さらなる指示を受けずに処理が開始されるものである。すなわち、このワンタッチ選択用ボタン２１は、ユーザが選択した後は、ユーザに対して処理の開始の確認を求めることがなく、ユーザの選択操作がそのまま処理の開始の操作となる。
一方、非ダイレクトスタートのワンタッチ選択用ボタン２１は、ユーザがワンタッチ選択用ボタン２１の選択を行うと、制御部１００が、関連付けられた処理の指示を受けた後、その処理の開始に先立って、ワンタッチ選択用ボタン２１に設定されたパラメータなどをユーザに提示する。そして、ユーザが、提示されたパラメータなどの確認等を行った後に、処理の開始の操作の入力を行うことで、さらなる指示を受けた後、処理が開始されるものである。
非ダイレクトスタートのワンタッチ選択用ボタン２１を、以下、「確認画面を表示するワンタッチ選択用ボタン２１」という。
【００２７】
確認画面を表示するワンタッチ選択用ボタン２１は、その選択によって表示される確認等のための画面において、ユーザは処理の開始の入力を行う選択の他に、処理の取り消しの入力を行う選択も可能である。処理の取り消しの入力を行った場合は、選択されたワンタッチ選択用ボタン２１に関連付けられた処理は実行されない。なお、本実施の形態において、ダイレクトスタートのワンタッチ選択用ボタン２１を除く他の選択用ボタン２１は、確認画面を表示するワンタッチ選択用ボタン２１も含めて、第１の処理受付部の一例である。
ここで、ワンタッチ選択用ボタン２１をユーザが作成する際には、図９（ワンタッチ選択用ボタン２１をユーザが作成する際の表示画面を示した図）の（Ａ）にて、図中右上に位置する歯車状の記号（符号９Ａで示す記号）がユーザにより押圧される。なお、図９（Ａ）に示す表示画面は、メール送信時の画面を表示している。すなわち、図９（Ａ）では、図２にて示す「メール」の選択用ボタン２１がユーザにより選択されて表示画面が切り替わった後の状態を示している。
【００２８】
歯車状の記号９Ａがユーザにより押圧されると、図９（Ｂ）に示す表示画面が表示される。この表示画面では、ワンタッチ選択用ボタン２１の作成にあたって必要となる情報（パラメータ等）がユーザにより入力される。具体的には、ワンタッチ選択用ボタン２１の名称として、「名前（１行目）」、「名前（２行目）」がユーザにより入力される。
本実施の形態のワンタッチ選択用ボタン２１（作成後のワンタッチ選択用ボタン２１）の名称は、２行の名前で表示される。「名前（１行目）」は、２行のうちの上の行に表示される名前を示し、「名前（２行目）」は、２行のうちの下の行に表示される名前を示している。
【００２９】
さらに、図９（Ｂ）に示す表示画面には、ワンタッチ選択用ボタン２１がホーム画面に表示されたときのアイコンとなる図柄も表示される。この図柄は、図柄の変更を行う処理が関連付けられているボタン９Ｂがユーザによって押圧されることにより変更され得る。すなわち、このボタン９Ｂがユーザにより押圧されると、図１０に示す画面（ワンタッチ選択用ボタン２１の図柄の一覧を示した画面）が表示される。ユーザが、この画面に表示された図柄の一覧から一つのワンタッチ選択用ボタン２１としての図柄を選ぶことで、このワンタッチ選択用ボタン２１に選ばれた図柄がアイコンとして登録される。
さらに、図９（Ｂ）に示す表示画面には、ワンタッチ選択用ボタン２１をダイレクトスタートのワンタッチ選択用ボタン２１とするか、または確認画面を表示するワンタッチ選択用ボタン２１とするかの別を設定するダイレクトスタートのスライドボタンもあるが、この点については後述する。なお、図９（Ｂ）に示す表示画面は、ダイレクトスタートのワンタッチ選択用ボタン２１にする設定になっている。
また、本実施の形態では、ユーザは、説明文を登録できるようになっており、説明文の登録を行いたいユーザは、表示画面（図９（Ｂ）にて示す表示画面）の下部に位置するボックス内に、説明文を入力する。
【００３０】
ここで、図９（Ｂ）に示す表示画面に対するユーザの入力が終了すると、図中右上に位置する「作成」というボタンがユーザにより押圧される。これにより、制御部１００の制御により、図９（Ｃ）に示す表示画面に表示が切り替わり、表示画面上に（ホーム画面上に）、「ワンタッチメール送信」というワンタッチ選択用ボタン２１が追加される。ここでは、ダイレクトスタートのワンタッチ選択用ボタン２１を作成する際の処理を説明したが、本実施の形態では、ダイレクトスタートのスライドボタンをユーザが操作することで、確認画面を表示させるワンタッチ選択用ボタン２１も作成できるようになっている。
確認画面を表示させるワンタッチ選択用ボタン２１は、ユーザにより選択されることによって処理の指示を受けた後、さらなる指示を受けるための確認画面が表示され、ユーザによるスタートボタンの入力（指示）を待って、ワンタッチ選択用ボタン２１に関連付けられた処理が実行される。本実施の形態において、確認画面を表示させた後に処理を開始させるためのスタートボタンは、表示画面に表示される形式のものではなく、画像形成装置１０の他の箇所にハードウェアのボタン（不図示）として配置されている。
【００３１】
また、ダイレクトスタートのワンタッチ選択用ボタン２１は、ホーム画面に表示されたとき、ダイレクトスタートのワンタッチ選択用ボタン２１以外の選択用ボタン（確認画面を表示させるワンタッチ選択用ボタン２１や通常の選択用ボタン２１など）と識別できるようになっている。つまり、ダイレクトスタートのワンタッチ選択用ボタン２１がホーム画面に表示されたときの図柄には、例えば図９（Ｃ）に示す菱形のマーク９Ｅが付加される。なお、本実施の形態では、画像形成装置１０における表示処理について説明したが、この表示処理は、画像形成装置１０以外の装置（例えばタブレット端末などの装置）でも同様に行うことができる。
【００３２】
続いて、ワンタッチ選択用ボタン２１を作成する場合の処理について、より詳細に説明する。図１１は、ワンタッチ選択用ボタン２１を作成する際に、制御部１００（図１参照）により実行される処理について示したフローチャートである。また、図１２は、ワンタッチ選択用ボタン２１を作成する際に表示部１０７に表示される表示画面を示した図である。この例では、ファックス送信機能に係る選択用ボタン２１を作成する場合を例に挙げて説明する。
図１１に示すように、新たに選択用ボタン２１の作成を行うに際して、制御部１００は、まずユーザから新たに作成する選択用ボタン２１に関連付ける機能（処理）についての入力を受け付ける（ステップ１０１（Ｓ１０１））。具体的には、新たに選択用ボタン２１を作成する際には、ユーザは、上述の図２に示したホーム画面にて、新たに作成する選択用ボタン２１に関連付ける機能を表す選択用ボタン２１を選択（押圧）する。この例では、ユーザは、まず図２に示した、そのユーザ用のホーム画面にて、「ファックス」の選択用ボタン２１を選択する。
【００３３】
ホーム画面にて選択用ボタン２１がユーザにより押圧された場合、制御部１００により、図３〜図６に示した、選択された選択用ボタン２１に関連付けられた機能についての設定をユーザが行う画面が表示部１０７に表示される。この例において、ユーザにより「ファックス」の選択用ボタン２１が選択された場合にも、制御部１００により、同様に、ファックス機能についての設定を行う画面が表示部１０７に表示される。
すなわち、詳細な説明は省略するが、ファックス機能についての設定を行う画面についても、第１タブと第２タブとが設けられた構成となっている。第１タブには、ユーザによって変更される頻度が高い設定項目が表示され、第２タブには、全ての設定項目がリスト形式で表示される構成となっている。これら第１タブと第２タブとの構成は、図３および図４に示したコピー機能についての設定を行う画面や、図５および図６に示したボックス保存機能についての設定を行う画面と同様である。
【００３４】
そして、ユーザは、表示部１０７に表示された画面を用いて、新たに作成する選択用ボタン２１に関連付ける機能について、各項目の設定を行う。例えばユーザがコピー機能を選択した場合には、ユーザは「両面／片面／製本」、「コピー部数」、「Ｎアップ数（１ページへの集約ページ数）」、「倍率」および「カラーモード」等の設定を行う。また、ユーザがボックス保存機能を選択した場合には、ユーザは「カラーモード」、「原稿の送りモード」および「読み取り解像度」等の設定を行う。さらに、ユーザがファックス機能を選択した場合には、ユーザは「送信先」、「画質」および「倍率」等の設定を行う。
なお、「送信先」については、一つの選択用ボタン２１を作成するに際して、１つまたは複数の送信先を設定することが可能であるが、この例においては、ユーザにより１つの送信先が設定されたものとする。
続いて、制御部１００は、ワンタッチ選択用ボタン２１の作成を開始するためのボタン（図９（Ａ）で示した歯車状の記号９Ａと同じボタン；以下、作成開始ボタン９Ａと称する。）がユーザにより選択されたか否かを判断する（ステップ１０２）。なお、作成開始ボタン９Ａが選択されない場合（ステップ１０２でＮＯ）、制御部１００は、作成開始ボタン９Ａが選択されるまで待機する。
【００３５】
次いで、制御部１００は、作成開始ボタン９Ａがユーザにより選択されたと判断した場合（ステップ１０２でＹＥＳ）、新たに作成するワンタッチ選択用ボタン２１の設定内容を確認し変更するための表示画面（以下、ワンタッチ選択用ボタン作成画面または単に作成画面とよぶ）を表示部１０７に表示させる（ステップ１０３）。具体的には、制御部１００は、ステップ１０１にてユーザにより入力された新たに作成するワンタッチ選択用ボタン２１に関連付ける機能や設定項目に対応する作成画面を、表示部１０７に表示させる。この例では、図１２に示すように、制御部１００は、ステップ１０１にて選択されたファックス機能に対応する作成画面を表示部１０７に表示させる。
続いて、制御部１００は、作成画面にて、新たに作成するワンタッチ選択用ボタン２１に関する設定内容の変更等の入力を受け付ける（ステップ１０４）。なお、ステップ１０３にて表示部１０７に表示させる作成画面の詳細や、ステップ１０４にて作成画面を介して設定内容の変更等の入力を受け付けた場合の処理等については、後に詳細に説明する。
次に、制御部１００は、作成画面に表示されワンタッチ選択用ボタン２１の作成を完了するための作成完了ボタン３８が、ユーザにより選択されたか否かを判断する（ステップ１０５）。なお、作成完了ボタン３８が選択されない場合（ステップ１０５でＮＯ）には、制御部１００は、作成完了ボタン３８が選択されるまで待機する。
【００３６】
制御部１００が、作成完了ボタン３８が押されたと判断した場合（ステップ１０５でＹＥＳ）には、ステップ１０１やステップ１０４にて入力を受け付けた情報を、作成する選択用ボタン２１に関連する情報として、記憶部１０５に記憶させる（ステップ１０６）。
以上により、ワンタッチ選択用ボタン２１の作成が終了する。なお、ステップ１０６において、作成完了ボタン３８が押されたと判断した場合、制御部１００は、表示部１０７の表示画面をユーザ用のホーム画面に切り替える。そして、上述した工程にて作成したワンタッチ選択用ボタン２１は、制御部１００の制御により、このホーム画面上に、例えば図１４に示すように配置される。なお、このホーム画面の表示領域におけるワンタッチ選択用ボタン２１の配置の処理については、後に詳述する。
【００３７】
続いて、ワンタッチ選択用ボタン作成画面の詳細について説明する。
ワンタッチ選択用ボタン作成画面には、制御部１００の制御により、ユーザがワンタッチ選択用ボタン２１の作成にあたって必要となる情報等をユーザが入力するためのボタンやボックス等が表示される。
図１２に示すワンタッチ選択用ボタン作成画面は、名前ボックス３１（１行目３１Ａ、２行目３１Ｂ）、アイコン変更ボタン３２（図９（Ｂ）におけるボタン９Ｂに対応）、宛先表示選択ボタン３３、ダイレクトスタートボタン３４を有している。
名前ボックス３１は、作成するワンタッチ選択用ボタン２１の名前が入力されるボタンである。アイコン変更ボタン３２は、作成するワンタッチ選択用ボタン２１の図柄（アイコン）を変更するためのボタンである。宛先表示選択ボタン３３は、作成する選択用ボタン２１のアイコンに宛先を表示するか否かを選択するためのボタンである。ダイレクトスタートボタン３４は、作成するワンタッチ選択用ボタン２１をダイレクトスタートのワンタッチ選択用ボタン２１とするか、または確認画面を表示する選択用ボタン２１とするかの別を選択するためのボタンである。
【００３８】
さらに、ワンタッチ選択用ボタン作成画面は、種別表示部３５、説明ボックス３６、プレビュー表示部３７、作成完了ボタン３８を有している。
種別表示部３５は、作成するワンタッチ選択用ボタン２１に関連付ける処理の機能の種別を表示するための部分である。説明ボックス３６は、作成するワンタッチ選択用ボタン２１に関する説明文を入力するためのボックスである。プレビュー表示部３７は、作成するワンタッチ選択用ボタン２１がホーム画面に表示される際の状態を表示するものである。作成完了ボタン３８は、ワンタッチ選択用ボタン２１の作成を完了するための指示を入力するボタンである。
【００３９】
ここで、名前ボックス３１は、上述したように、ワンタッチ選択用ボタン２１のアイコンとともに表示画面（ホーム画面）に表示する名前を入力するためのボックスであり、１行目３１Ａと２行目３１Ｂとの２つの行に分けられている。本実施の形態では、ステップ１０２にてユーザが作成開始ボタン９Ａを選択した際に表示部１０７に始めに表示されるデフォルト状態で、名前ボックス３１に、制御部１００の制御によって、ステップ１０１にて入力された機能に関連する名前が予め入力されている。この例では、ステップ１０１にて入力されたファックス機能に対応して、名前ボックス３１の１行目３１Ａに「ワンタッチ」と入力され、２行目３１Ｂに「ファックス送信」と入力されている。
【００４０】
本実施の形態では、ユーザは、名前ボックス３１に入力された名前を変更することができる。具体的には、ユーザが名前ボックス３１（１行目３１Ａ、２行目３１Ｂ）を押圧すると、制御部１００によって表示部１０７にキーボード画面（不図示）が表示される。ユーザは、表示されたキーボードを用いて、名前ボックス３１に任意の名前を入力することができる。
【００４１】
アイコン変更ボタン３２は、作成するワンタッチ選択用ボタン２１のアイコンを変更する際に、ユーザにより選択されるボタンである。また、アイコン変更ボタン３２の図中左側には、現在設定されているアイコンが表示される。本実施の形態では、表示部１０７に始めに表示されるデフォルト状態において、制御部１００により予め定められた図柄が設定されており、アイコン変更ボタン３２の図中左側に表示されている。
アイコン変更ボタン３２がユーザにより選択されると、制御部１００により表示部１０７に、複数の図柄が並んだアイコン選択画面（図１０）が表示される。そして、ユーザはこのアイコン選択画面の中から図柄を選択することで、作成する選択用ボタン２１の図柄を変更することができる。図１２は、アイコンがファックス用のアイコンに変更された状態を示している。
【００４２】
宛先表示選択ボタン３３は、左右に移動させることが可能なつまみを有しており、このつまみを左右にスライドさせることで、ユーザが、「する」または「しない」の別を選択することができるスライド式のボタンである。なお、宛先表示選択ボタン３３は、例えば、ステップ１０１にて選択された機能が、画像形成装置１０（図１参照）の外部にデータを転送する機能（ファックス送信やメール送信など）を含む場合に表示される。
詳細については後述するが、宛先表示選択ボタン３３にてユーザが「する」を選択した場合には、制御部１００の制御により、ホーム画面に表示されるワンタッチ選択用ボタン２１のアイコンに、ワンタッチ選択用ボタン２１に関連付けられた機能の宛先に関する情報が併せて表示される。なお、本実施の形態では、宛先表示選択ボタン３３は、表示部１０７に始めに表示されるデフォルト状態の作成画面において、「する」に設定されている。これにより、ユーザが宛先表示選択ボタン３３に対する操作を行わない場合には、選択用ボタン２１のアイコンに宛先が併せて表示されることになる。
この結果、ユーザがワンタッチ選択用ボタン作成画面において、宛先表示選択ボタン３３を「しない」の設定に変更する操作を行わない限り、ユーザに宛先を通知するように設定される。したがって、デフォルト状態の作成画面において、宛先表示選択ボタン３３を「しない」に設定している場合に比べて、意図しない宛先にデータが送信される等の誤送信の発生を抑制することができる。なお、図１２に示す例では、宛先表示選択ボタン３３を「しない」に選択している。
【００４３】
ダイレクトスタートボタン３４は、宛先表示選択ボタン３３と同様に、スライド式のボタンにより構成される。ユーザがボタンのつまみを左右にスライドさせることで、ダイレクトスタートに「する」か、またはダイレクトスタートに「しない」（確認画面を表示する）かの別を選択することができる。ここで、ダイレクトスタートボタン３４にて「する」を選択した場合には、作成されるワンタッチ選択用ボタン２１は、ワンタッチ選択用ボタン２１の選択を１回行うだけで処理が開始される「ダイレクトスタートのワンタッチ選択用ボタン２１」となる。
この場合、上述したように、ホーム画面にて表示される選択用ボタン２１のアイコンに、菱形のマーク９Ｅが付される（図１４、図９（Ｃ）参照）。一方、ユーザが、ダイレクトスタートボタン３４にて「しない」を選択した場合には、作成されるワンタッチ選択用ボタン２１は、「確認画面を表示するワンタッチ選択用ボタン２１」となる。この場合には、ホーム画面にて表示される選択用ボタン２１のアイコンには、菱形のマーク９Ｅは付されない。なお、確認画面を表示する選択用ボタン２１は、ダイレクトスタートのワンタッチ選択用ボタン２１とは異なり、１回の入力操作（選択操作）を行うだけでは、処理が開始されないワンタッチ選択用ボタン２１である。
【００４４】
すなわち、ホーム画面にて確認画面を表示するワンタッチ選択用ボタン２１がユーザにより選択された場合には、確認画面を表示するワンタッチ選択用ボタン２１に関連付けられた処理を開始するのに先立って、表示部１０７に、確認画面を表示するワンタッチ選択用ボタン２１に関連付けられた機能の設定内容等を確認するための確認画面が表示される。そして、その確認画面の提示を受けたユーザが、確認画面の提示を受けた後に、処理の開始を承諾したときは、ユーザが、画像形成装置１０に設けられたスタートボタンを押下することで、そのワンタッチ選択用ボタン２１に関連付けられた処理が開始される。
一方、ユーザが、確認画面の提示を受けた後に、処理の取り消しを求めるときは、ユーザが、画像形成装置１０に設けられた取り消しボタンを押下することで、そのワンタッチ選択用ボタン２１に関連付けられた処理は実行されず、表示部１０７はホーム画面に戻る。
【００４５】
本実施の形態では、表示部１０７に表示される作成画面（図１２）において、ダイレクトスタートボタン３４は、ユーザの選択により、「する」に設定されているが、デフォルトでは「しない」に設定されている。これにより、ユーザがダイレクトスタートボタン３４に対して、「する」への変更の操作を行わない場合には、作成されるワンタッチ選択用ボタン２１は、「確認画面を表示するワンタッチ選択用ボタン２１」となる。
この結果、ユーザが作成画面においてダイレクトスタートボタン３４を「する」と変更しない限り、ダイレクトスタートのワンタッチ選択用ボタン２１とはしないように設定される。したがって、デフォルト状態においてダイレクトスタートボタン３４が「する」に設定されている場合に比べ、意図せずにダイレクトスタートのワンタッチ選択用ボタン２１が作成されることが抑制される。そして、ユーザが誤ってダイレクトスタートのワンタッチ選択用ボタン２１を選択することによって、そのダイレクトスタートのワンタッチ選択用ボタン２１に関連付けられた処理が意図せずに実行されるのを抑制することができる。
【００４６】
種別表示部３５は、作成するワンタッチ選択用ボタン２１に関連付けられた機能の種別を表示する。種別表示部３５に表示される内容は、ステップ１０１にて選択された機能に対応して制御部１００により設定されるものであり、ユーザが変更することはできない。
上述したように、作成するワンタッチ選択用ボタン２１のアイコンや名前はユーザにより変更することが可能であるため、ユーザによって、ワンタッチ選択用ボタン２１のアイコンや名前等が、選択した機能と関連しないものに変更される場合もある。この場合、機能選択をする際において機能と関連しないアイコンや名前等を見ることによってユーザはワンタッチ選択用ボタン２１に関連付けされた機能を誤認するおそれがある。したがって、本実施の形態では、このような不具合の発生を抑制するために、ワンタッチ選択用ボタン２１に関連付けられた機能の種別を、種別表示部３５にて表示している。
図１２に示す例では、制御部１００によって種別表示部３５に、ステップ１０１にて選択されたファックス機能に対応する「ファックス送信」、および、ステップ１０４にて設定された送信先の件数に対応する「（送信先：１件）」の文字が表示されている。
【００４７】
説明ボックス３６は、作成するワンタッチ選択用ボタン２１に関する説明を入力するためのボックスである。ユーザは、説明ボックス３６に対して、任意の説明文を入力することができる。具体的には、ユーザが説明ボックス３６を押圧すると、制御部１００により表示部１０７にキーボード画面（不図示）が表示される。
ユーザは、このキーボードを用いて、任意の説明文を入力することができる。そして、制御部１００は、キーボードを介して入力を受け付けた説明文を説明ボックス３６に表示する。また、本実施の形態では、例えばステップ１０１にて選択された機能やステップ１０４にて設定された項目等に応じて、制御部１００により、説明ボックス３６に説明文が自動的に入力され表示される場合がある。
この例では、制御部１００により、ステップ１０１にてファックスの送信先として設定した電話番号が、説明ボックス３６内に自動的に入力され表示されている。
【００４８】
プレビュー表示部３７は、作成するワンタッチ選択用ボタン２１がホーム画面においてどのように表示されるかについて、プレビューとして表示する部分である。具体的には、プレビュー表示部３７には、名前ボックス３１に入力されまたはデフォルトで入力された名前、およびアイコン変更ボタン３２により選択されたアイコンまたはデフォルトで選択されているアイコンが制御部１００によって表示される。
また、宛先表示選択ボタン３３にてユーザにより「する」が選択されている場合には、図１４に示すホーム画面およびプレビュー表示部３７にそれぞれ、選択した機能の宛先に関する情報（宛先表示９Ｆ）がアイコンの上方に重畳して表示される。さらに、ダイレクトスタートボタン３４にてユーザにより「する」が選択されている場合には、図１４に示すホーム画面およびプレビュー表示部３７にそれぞれ、菱形のマーク９Ｅがアイコンの右下に重畳して表示される。
【００４９】
ここで、本実施の形態の制御部１００は、名前ボックス３１、アイコン変更ボタン３２、宛先表示選択ボタン３３およびダイレクトスタートボタン３４にて設定される情報が変更された場合には、プレビュー表示部３７に表示されるプレビューに、変更内容をリアルタイムで反映させている。これにより、選択用ボタン２１の作成を行うユーザが、現在どのような設定がなされているかを確認することが可能になり、例えば作成するワンタッチ選択用ボタン２１に意図しないアイコンや名前等を設定してしまうことを抑制できる。
【００５０】
作成完了ボタン３８は、上述したように、ワンタッチ選択用ボタン２１の作成を完了させるためのボタンである。制御部１００は、ユーザにより作成完了ボタン３８が選択された場合に、選択された機能や設定項目を、記憶部１０５（図１参照）に記憶させる。具体的には、制御部１００は、作成完了ボタン３８が選択された場合に、ステップ１０１にて選択された機能やこの機能について設定された設定項目の内容（ファックスの送信先や部数等）、ステップ１０４にて設定・変更されたワンタッチ選択用ボタン２１の作成に当たって必要となる情報（名前、アイコン、説明文等）等を、作成するワンタッチ選択用ボタン２１に関連付けて記憶部１０５に記憶させる。
なお、この作成されたワンタッチ選択用ボタン２１には、このワンタッチ選択用ボタン２１を作成したユーザを特定する情報も対応づけられて記憶部１０５に記憶されている。
【００５１】
本実施の形態の画像形成装置１０（図１参照）は、記憶部１０５において、例えばステップ１０１にて選択される機能ごとにワンタッチ選択用ボタン２１の作成画面を記憶している。そして、制御部１００は、ステップ１０２にて作成開始ボタン９Ａが選択された場合に、ステップ１０１にて選択された機能に対応する作成画面を記憶部１０５から読み出し、表示部１０７に表示させている。
【００５２】
また、図１２は、作成するワンタッチ選択用ボタン２１に関連付ける処理としてファックス機能が選択された場合の作成画面の一例である。作成するワンタッチ選択用ボタン２１に関連付ける処理として、ファックス機能以外の他の機能が選択された場合の作成画面も、図１２に示した作成画面と基本的には同様の構成を有している。すなわち、ファックス機能以外の他の機能についての作成画面も、図１２で示した例と同様に、名前ボックス３１、アイコン変更ボタン３２、ダイレクトスタートボタン３４、種別表示部３５、説明ボックス３６、プレビュー表示部３７および作成完了ボタン３８を有している。
これに対し、宛先表示選択ボタン３３については、ファックス機能やメール送信機能等の、画像形成装置１０（図１参照）の外部へデータ等を転送する機能についての作成画面にのみ表示され、例えばコピー機能等のように転送機能を含まない機能の作成画面には表示されないようになっている。
【００５３】
ところで、上述したように、ユーザにより作成されたダイレクトスタートのワンタッチ選択用ボタン２１は、ユーザが１回の選択操作を行うだけで、そのワンタッチ選択用ボタン２１に関連付けられた機能（処理）が開始されるようになっている。すなわち、ホーム画面にて、ワンタッチ選択用ボタン２１がユーザにより選択された場合には、ファックスの送信先やコピーの部数等の設定項目の入力を行う入力画面や、これらの設定項目を確認する確認画面が表示されることなく処理が開始される。
【００５４】
このことは、ユーザにとっては、機能の選択や設定項目の入力を行うことなく処理を実行することができるため、操作の手間を低減できるという効果がある。しかし一方で、ホーム画面においてユーザが意図せずにワンタッチ選択用ボタン２１に触れてしまうなどにより、ワンタッチ選択用ボタン２１を誤って選択してしまった場合には、そのワンタッチ選択用ボタン２１に関連付けられた処理が実行されてしまう。この結果、例えば、ファックス送信機能やメール送信機能等の、画像形成装置１０の外部へデータを転送する機能が関連付けられているダイレクトスタートのワンタッチ選択用ボタン２１を、ユーザが誤って選択してしまった場合には、ユーザが意図していない宛先へデータが不用意に転送されてしまうおそれがある。
また、記録材（用紙）の大量消費を伴うような部数の多いコピー機能や、メモリの大量消費を伴うような解像度が高いスキャン機能等が関連付けられているダイレクトスタートのワンタッチ選択用ボタン２１を、ユーザが誤って選択してしまった場合には、大量の記録材やメモリなどが不用意に消費されることになる。
【００５５】
一方、ユーザが作成したワンタッチ選択用ボタン２１が確認画面を表示する選択用ボタン２１である場合には、ユーザによる１回の選択操作では処理が開始されない。すなわち、ホーム画面にて、確認画面を表示するワンタッチ選択用ボタン２１がユーザにより選択された場合には、まず、選択されたワンタッチ選択用ボタン２１に関連付けられた機能についての確認画面が表示される。そして、ユーザがこの確認画面にて内容の確認等を行って、処理の開始を承諾し、スタートボタンを押下することで、ワンタッチ選択用ボタン２１に関連付けられた機能の処理が開始されることになる。したがって、ダイレクトスタートのワンタッチ選択用ボタン２１のような問題が発生する機会は少ない。
【００５６】
ここで、本実施の形態の画像形成装置１０は、作成されたダイレクトスタートのワンタッチ選択用ボタン２１をホーム画面に表示するに際して、ダイレクトスタートのワンタッチ選択用ボタン２１は、制御部１００の制御により、確認画面を表示するワンタッチ選択用ボタン２１が配置可能な所定の領域に配置されることを禁止されている。ここで、確認画面を表示するワンタッチ選択用ボタン２１が配置可能な所定の領域は、例えば、表示領域の中央に対して左上側に設定されている。つまり、この実施の形態では、ダイレクトスタートのワンタッチ選択用ボタン２１は、ホーム画面の表示領域の中で、左上側の領域に配置されるのが禁止されている。なお、左上側の領域には、上下方向の位置が同じである場合は、真横の左側の領域も含み、また、左右方向の位置が同じである場合は、真上の側の領域も含む。
【００５７】
本実施の形態における制御部１００は、新たに作成された確認画面を表示するワンタッチ選択用ボタン２１をホーム画面の表示領域に配置する場合、ホーム画面の表示領域の左上側の領域に配置され、既にその左上側の領域が他の選択用ボタン２１に占有されている場合は、それらの選択用ボタン２１の右隣に順次配置される。また、右隣に配置するスペースがない場合は、下段に配置するスペースがあるときは、その下段に左詰めで配置し、下段も配置スペースがない場合は、ホーム画面の次ページに移って、その次ページの表示領域において上段から左詰めで、順次配置する制御を行う。
一方、制御部１００は、ホーム画面の表示領域に配置するワンタッチ選択用ボタン２１がダイレクトスタートのワンタッチ選択用ボタン２１である場合は、上述したように、表示領域の空いたスペースに単に左詰めで順次配置していくのではなく、確認画面を表示するワンタッチ選択用ボタン２１が配置可能な所定の領域（例として、中央部に対して左上側の領域）を除いた領域に配置する。
【００５８】
この制御部１００による処理は、図１３に示す通り、ワンタッチ選択用ボタン２１の作成が完了して記憶部１０５に記憶されると（ステップ２０１）、制御部１００は、このワンタッチ選択用ボタン２１を表示部１０７のホーム画面の表示領域に配置するに際して、そのワンタッチ選択用ボタン２１がダイレクトスタートのワンタッチ選択用ボタン２１であるか否かを判断する（ステップ２０２）。この判断は、ワンタッチ選択用ボタン２１の作成時に選択されたダイレクトスタートボタン３４の設定にしたがって行われる。具体的には、ダイレクトスタートボタン３４が「する」に設定されている場合は、制御部１００は、ワンタッチ選択用ボタン２１がダイレクトスタートのワンタッチ選択用ボタン２１であると判断する（ステップ２０２においてＹＥＳ）。
【００５９】
一方、ダイレクトスタートボタン３４が「しない」に設定されている場合は、制御部１００は、ワンタッチ選択用ボタン２１がダイレクトスタートのワンタッチ選択用ボタン２１でないと判断する（ステップ２０２においてＮＯ）。制御部１００は、ワンタッチ選択用ボタン２１がダイレクトスタートのワンタッチ選択用ボタン２１であると判断したときは、そのダイレクトスタートのワンタッチ選択用ボタン２１を、ホーム画面の表示領域に配置するに際して、ダイレクトスタートのワンタッチ選択用ボタン２１を除く他の選択用ボタン２１（確認画面を表示するワンタッチ選択用ボタン２１）が配置可能な左上側の領域を除いた領域に、そのダイレクトスタートのワンタッチ選択用ボタン２１を配置する（ステップ２０４）。このようにワンタッチ選択用ボタン２１がホーム画面に配置された一例が、図９（Ｃ）である。
制御部１００は、ワンタッチ選択用ボタン２１がダイレクトスタートのワンタッチ選択用ボタン２１でないと判断したときは、そのワンタッチ選択用ボタン２１を、ホーム画面の表示領域に配置するに際して、上述したように、ホーム画面の表示領域に既に表示されている選択用ボタン２１のうちの右隣に順次配置し、右隣に配置するスペースがない場合で、下段に配置するスペースがあるときは、その下段に左詰めで配置し、下段も配置スペースがない場合は、ホーム画面の次ページの表示画面に移って、その次ページの表示画面の表示領域において上段から左詰めで、順次配置する（ステップ２０３）。
【００６０】
なお、図９（Ｃ）に示したホーム画面の表示領域には、通常の選択用ボタン２１である「シンプルコピー」、「ＯＦＴ  ＢＯＸに保存」、「ＯＦＴ  ＵＩに展開」、「いつものコピー」、「ＰＣ保存」が配置されている。そして、これら通常の選択用ボタン２１はいずれもダイレクトスタートのワンタッチ選択用ボタン２１ではない。したがって、新たに作成されたダイレクトスタートのワンタッチ選択用ボタン２１は、表示領域のうち左上側の領域とならない領域の一例として、選択用ボタン２１「ＰＣ保存」の右隣で、かつ選択用ボタン２１「ＯＦＴ  ＢＯＸに保存」の下側に配置される。
【００６１】
同様に、図１４に示したホーム画面の表示領域の場合は、通常の選択用ボタン２１である「コピー」、「ＯＦＴ  ＢＯＸに保存」、「ＯＦＴ  ＵＩに展開」、「いつものコピー」、「ＰＣ保存」が配置されている。そして、これら通常の選択用ボタン２１はいずれもダイレクトスタートのワンタッチ選択用ボタン２１ではない。一方、新たに作成されたダイレクトスタートのワンタッチ選択用ボタン２１は、表示領域のうち左上側の領域を除いた領域の一例として、選択用ボタン２１「ＰＣ保存」の右隣で、かつ選択用ボタン２１「ＯＦＴ  ＢＯＸに保存」の下側の領域に配置される。
【００６２】
なお、例えば、図１４に示すように、ホーム画面の表示領域にダイレクトスタートのワンタッチ選択用ボタン２１が配置されている状態から、新たに確認画面を表示するワンタッチ選択用ボタン２１（例えば「ワンタッチメール送信」）が配置される場合、確認画面を表示するワンタッチ選択用ボタン２１は、図１３に示した制御部１００の制御（ステップ２０２→ステップ２０３）にしたがって、図１５に示すように、ダイレクトスタートのワンタッチ選択用ボタン２１（「ワンタッチファックス送信」）の右隣に配置されることになる。
【００６３】
本実施の形態では、ホーム画面の表示領域には、デフォルト状態で、通常の選択用ボタン２１が配置されている。そして、ダイレクトスタートのワンタッチ選択用ボタン２１は、ホーム画面の表示領域のうち左上側の領域には配置されない。ここで、ホーム画面の表示領域のうち左上側の領域（特に、図９（Ｃ）、図１４、図１５において破線で囲まれた上縁および左縁の領域Ａ）は、ホーム画面の表示領域の全体の中でユーザの目に付き易い領域であり、その目に付いた領域に配置されているアイコン（選択用ボタン）には触り易い。
【００６４】
本実施の形態では、ダイレクトスタートのワンタッチ選択用ボタン２１を、表示領域中の全ての領域に自由に配置させる場合に比して、ユーザが誤って処理の指示をしてしまうのを抑制する。また、本実施の形態では、ユーザが不用意に触るおそれのある左上の領域（例えば領域Ａ）に、ダイレクトスタートのワンタッチ選択用ボタン２１が配置されないため、表示領域の中央に比して左上側以外へ配置するのを禁止する場合に比して、ユーザが誤って処理の指示をしてしまうのを抑制する。
なお、ホーム画面の表示領域に配置された選択用ボタン２１は、ダイレクトスタートのワンタッチ選択用ボタン２１も含めて、ユーザの移動操作（例えば、ホーム画面に表示された選択用ボタン２１をドラッグアンドドロップする操作）によって、ホーム画面の表示領域内で任意の位置に移動させることができる。この移動操作の場合であっても、ダイレクトスタートのワンタッチ選択用ボタン２１の配置については、上述した制御部１００の制御により、配置できる領域が制限されている。したがって、ダイレクトスタートのワンタッチ選択用ボタン２１をユーザの操作により、そのように配置が禁止されている領域へ移動することはできない。
【００６５】
［実施の形態２］
本実施の形態の画像形成装置１０は、前述したように、ホーム画面が複数のページにより構成されており、デフォルトではその複数のページのうち第１ページの表示画面が表示部１０７に表示されている。そして、表示部１０７に表示されているページの選択用ボタン２１以外の「地」の部分をフリック操作することにより、ページの切り替えを行えるようになっている。ページの切り替えが行われると、フリック操作の前のページの表示画面では現われていなかった他の選択用ボタン２１が現れるようになる。本実施の形態では、第１ページの表示画面（第１の表示画面の一例）は、第２ページ以後の表示画面（第２の表示画面の一例）よりも優先して表示される表示画面である。
本実施の形態においては、制御部１００の制御により、確認画面を表示するワンタッチ選択用ボタン２１を、ホーム画面の第１ページの表示画面および第２ページの表示画面のいずれにも配置可能であり、一方、ダイレクトスタートのワンタッチ選択用ボタン２１をホーム画面の第１ページに配置するのを禁止するように制御するものであってもよい。すなわち、ダイレクトスタートのワンタッチ選択用ボタン２１は、制御部１００の制御により、ホーム画面の第２ページ以後の表示画面の表示領域に配置される。
【００６６】
この場合の制御部１００による処理は、図１６に示す通り、ワンタッチ選択用ボタン２１の作成が完了して記憶部１０５に記憶される（ステップ３０１）。制御部１００は、このワンタッチ選択用ボタン２１を表示部１０７のホーム画面の表示領域に配置するに際して、そのワンタッチ選択用ボタン２１がダイレクトスタートのワンタッチ選択用ボタン２１であるか否かを判断する（ステップ３０２）。この判断は、ワンタッチ選択用ボタン２１の作成時に選択されたダイレクトスタートボタン３４の設定にしたがって行われる。具体的には、ダイレクトスタートボタン３４が「する」に設定されている場合は、制御部１００は、ワンタッチ選択用ボタン２１がダイレクトスタートのワンタッチ選択用ボタン２１であると判断する（ステップ３０２においてＹＥＳ）。
一方、ダイレクトスタートボタン３４が「しない」に設定されている場合は、制御部１００は、ワンタッチ選択用ボタン２１がダイレクトスタートのワンタッチ選択用ボタン２１でないと判断する（ステップ３０２においてＮＯ）。
【００６７】
制御部１００は、ワンタッチ選択用ボタン２１がダイレクトスタートのワンタッチ選択用ボタン２１であると判断したときは、そのダイレクトスタートのワンタッチ選択用ボタン２１をホーム画面の表示領域に配置するに際して、ホーム画面の第１ページ以後の２ページ以後のページに、そのダイレクトスタートのワンタッチ選択用ボタン２１を配置する（ステップ３０４）。
制御部１００は、ワンタッチ選択用ボタン２１がダイレクトスタートのワンタッチ選択用ボタン２１でないと判断したときは、そのワンタッチ選択用ボタン２１を、ホーム画面の表示領域に配置するに際して、ホーム画面の表示領域に既に表示されている選択用ボタン２１のうちの右隣に順次配置する。このとき、選択用ボタン２１の右隣に配置するスペースがない場合で、下段に配置するスペースがあるときは、その下段に左詰めで配置し、下段も配置スペースがない場合は、ホーム画面の次ページの表示画面に移って、その次ページの表示画面の表示領域において上段から左詰めで、順次配置する（ステップ３０３）。
【００６８】
このようにワンタッチ選択用ボタン２１がホーム画面に配置された一例が、図１７である。図１７（Ａ）は、表示部１０７に、ホーム画面の第１ページの表示画面１０７ａがデフォルトで表示され、新たに作成されたダイレクトスタートのワンタッチ選択用ボタン２１（「ワンタッチファックス送信」）がホーム画面の第２ページの表示画面１０７ｂに配置されているが、第２ページの表示画面１０７ｂは表示部１０７に表示されていない状態を示している。そして、表示部１０７に表示されているホーム画面の第１ページの「地」の部分に対してユーザが図示左方向へのフリック操作を行うことで、表示部１０７に表示される表示画面が、図１７（Ｂ）に示すように、第１ページの表示画面１０７ａから第２ページの表示画面１０７ｂに切り替わり、第２ページの表示画面１０７ｂに配置されていたダイレクトスタートのワンタッチ選択用ボタン２１（「ワンタッチファックス送信」）が表示される。
【００６９】
このように構成された実施の形態では、表示部１０７にデフォルト状態で表示されるホーム画面の第１ページの表示画面には、ダイレクトスタートのワンタッチ選択用ボタン２１は配置されず、表示部１０７に表示される表示画面を切り替える操作（フリック操作等）の入力を経て、表示部１０７にダイレクトスタートのワンタッチ選択用ボタン２１が表示される。したがって、この実施の形態では、ダイレクトスタートのワンタッチ選択用ボタン２１を第１ページの表示画面１０７ａおよび第２ページの表示画面１０７ｂの両方に配置可能とした場合に比して、ユーザが誤って処理の指示をしてしまうのを抑制する。また、この実施の形態は、ダイレクトスタートのワンタッチ選択用ボタン２１を、優先的に表示される第１ページの表示画面１０７ａの表示領域に配置する場合に比してユーザが誤って処理の指示をしてしまうのを抑制する。
【００７０】
なお、図１７において、新たに作成されたダイレクトスタートのワンタッチ選択用ボタン２１は、ホーム画面のうち第２ページの表示画面１０７ｂの先頭となる左上の領域に配置されているが、制御部１００による制御はこの形態に限定されるものではなく、第２ページの他の領域に配置してもよいし、第３ページ以後の表示画面（図示せず）に配置するように制御してもよい。
ただし、第２ページの表示画面１０７ｂに１つも選択用ボタン２１が配置されずに第３ページ以後の表示画面にダイレクトスタートのワンタッチ選択用ボタン２１が配置されると、ダイレクトスタートのワンタッチ選択用ボタン２１を表示部１０７に表示させるまでに、空白のページ（第２ページの表示画面）を経由することになる。この場合、ユーザは第３ページの表示画面の存在自体を失念したり気付かなかったりするおそれも生じる。したがって、制御部１００は、空白のページが発生しないように、第２ページ以後の表示画面の表示領域に左上詰めで、ダイレクトスタートのワンタッチ選択用ボタン２１を配置するように制御するのが好ましい。
【００７１】
本実施の形態２は、制御部１００によるダイレクトスタートのワンタッチ選択用ボタン２１のホーム画面への表示の制御が実施の形態１と異なる以外は、実施の形態１と異なるところがなく、特に言及した以外の構成や作用、効果については、実施の形態１の画像形成装置１０で説明した構成、作用、効果と同じであるため、説明を省略する。
なお、ホーム画面の表示領域に配置された選択用ボタン２１は、ダイレクトスタートのワンタッチ選択用ボタン２１も含めて、ユーザの移動操作（例えば、ホーム画面に表示された選択用ボタン２１をドラッグアンドドロップする操作）によって、ホーム画面の表示領域内で任意の位置に移動させることができる。しかし、この移動操作の場合であっても、ダイレクトスタートのワンタッチ選択用ボタン２１については、上述した制御部１００の制御により、配置できる領域が制限されている。したがって、ユーザの操作により、ダイレクトスタートのワンタッチ選択用ボタン２１を、そのように禁止されている領域へ移動することはできない。
【００７２】
［実施の形態３］
上述した実施の形態の画像形成装置１０における制御部１００は、ダイレクトスタートのワンタッチ選択用ボタン２１をホーム画面に配置する際に、その配置の領域を制限したが、その配置の領域を制限する制御の対象として、ユーザ以外の他者が作成したワンタッチ選択用ボタン２１を適用することもできる。すなわち、制御部１００は、作成されたワンタッチ選択用ボタン２１（処理受付部の一例）を、ユーザのホーム画面に表示するに際して、その作成されたワンタッチ選択用ボタン２１がユーザとは異なる他者が作成したワンタッチ選択用ボタン２１であるときは、その他者が作成したワンタッチ選択用ボタン２１を、ホーム画面の表示領域の中で、所定の領域に配置するのを禁止する。ここで、ユーザ以外の他者が作成したワンタッチ選択用ボタン２１の配置が禁止されている所定の領域は、例えば、表示領域の中央に対して左上側の領域である。つまり、この実施の形態では、ユーザ以外の他者が作成したワンタッチ選択用ボタン２１は、ホーム画面の表示領域の中で、左上側の領域に配置されるのが禁止されている。なお、左上側の領域には、上下方向の位置が同じである場合は、真横の左側の領域も含み、また、左右方向の位置が同じである場合は、真上の側の領域も含む。
【００７３】
本実施の形態における制御部１００は、例えば、作成者以外にも共有することが許容され、ユーザ以外の他者によって作成されたワンタッチ選択用ボタン２１は、例えば図示しない共有領域などに配置されていて、この画像形成装置１０を使用する権限を有する者であれば誰でも自由に使用することができ、またユーザのホーム画面にそのワンタッチ選択用ボタン２１を配置することもできる。そして、上述した他者が作成したワンタッチ選択用ボタン２１を、ユーザが、ユーザ自身のホーム画面の表示領域に配置する場合、制御部１００は、表示領域の空いたスペースに単に左詰めで順次配置していくのではなく、他者作成のワンタッチ選択用ボタン２１を、所定の領域（本実施の形態では、例えば左上側となる領域）への配置を禁止して、その領域以外の領域に配置する。
【００７４】
この制御部１００による処理は、図１８に示す通り、ワンタッチ選択用ボタン２１の作成が完了して記憶部１０５に記憶されていて（ステップ４０１）、制御部１００は、このワンタッチ選択用ボタン２１を表示部１０７のホーム画面の表示領域に配置するに際して、そのワンタッチ選択用ボタン２１の作成者に関する情報を取得する（ステップ４０２）。作成者に関する情報は、作成されたワンタッチ選択用ボタン２１に対応づけられて記憶部１０５に記憶されている。
そして、ホーム画面に配置するためにユーザによって選択されたワンタッチ選択用ボタン２１を制御部１００が読み出す際に、制御部１００が、そのワンタッチ選択用ボタン２１に対応づけられた作成者に関する情報を記憶部１０５から読み出すことで、ワンタッチ選択用ボタン２１の作成者に関する情報を取得する。
【００７５】
続いて、制御部１００は、読み出した作成者に関する情報に基づいて、そのワンタッチ選択用ボタン２１の作成者が、ユーザと一致するか否かを判断する（ステップ４０３）。ホーム画面のユーザについては、前述したように、ＩＤカードに記録されたＩＤ番号を読み取る方式等によって特定されているため、制御部１００は、ホーム画面のユーザとワンタッチ選択用ボタン２１の作成者とが一致するか否かを判断することができる。
制御部１００は、ワンタッチ選択用ボタン２１の作成者がユーザと一致しないと判断したとき（ステップ４０３でＮＯ）は、そのワンタッチ選択用ボタン２１を、ホーム画面の表示領域に配置するに際して、中央部に対して左上側の領域とならない領域に、そのワンタッチ選択用ボタン２１を配置する（ステップ４０５）。このようにワンタッチ選択用ボタン２１がホーム画面に配置された一例が、図１９である。
図１９において、「シンプルコピー」、「ＯＦＴ  ＢＯＸに保存」、「ＯＦＴ  ＵＩに展開」、「いつものコピー」、「ＰＣ保存」と表示されたものが、ユーザ自身が作成したワンタッチ選択用ボタン２１や予め設定されている選択用ボタン２１である他の選択用ボタン２１であり、「ワンタッチファックス送信」と表示されたものが、他者が作成したワンタッチ選択用ボタン２１である。
【００７６】
一方、制御部１００は、ワンタッチ選択用ボタン２１の作成者がユーザと一致すると判断したとき（ステップ４０３でＹＥＳ）は、そのワンタッチ選択用ボタン２１を、ホーム画面の表示領域に配置するに際して、そのホーム画面の表示領域に既に表示されている選択用ボタン２１のうちの右隣に順次配置し、右隣に配置するスペースがない場合で、下段に配置するスペースがあるときは、その下段に左詰めで配置し、下段も配置スペースがない場合は、ホーム画面の次ページの表示画面に移って、その次ページの表示画面の表示領域において上段から左詰めで、順次配置する（ステップ４０４）。
なお、図１９に示したホーム画面の表示領域には、通常の選択用ボタン２１である「シンプルコピー」、「ＯＦＴ  ＢＯＸに保存」、「ＯＦＴ  ＵＩに展開」、「いつものコピー」および「ＰＣ保存」が配置されている。これら通常の選択用ボタン２１はいずれも他者が作成したワンタッチ選択用ボタン２１ではない。新たに作成された他者作成のワンタッチ選択用ボタン２１（「ワンタッチファックス送信」）は、表示領域の中央部に対して左上側とならない領域の一例として、選択用ボタン２１「ＰＣ保存」の右隣で、かつ選択用ボタン２１「ＯＦＴ  ＢＯＸに保存」の下側に配置される。
【００７７】
ホーム画面の表示領域のうち左上側の領域は、ホーム画面の表示領域の全体の中でユーザの目に付き易い領域であり、その目に付いた領域に配置されているアイコン（選択用ボタン）には触り易い。本実施の形態では、このようにユーザが不用意に触るおそれのある領域（特に、図１９において破線で囲まれた上縁および左縁の領域Ａ）に、他者が作成したワンタッチ選択用ボタン２１は配置されない。したがって、ワンタッチ選択用ボタン２１がユーザ以外の他者によって作成されている場合に、ユーザが誤ってそのワンタッチ選択用ボタン２１に触れて処理の指示をしてしまうのを抑制する。また、本実施の形態は、ユーザ以外の他者によって作成されたワンタッチ選択用ボタン２１を、表示領域の中央部に対して左上側以外へ配置するのを禁止する場合に比して、ユーザが誤って処理の指示をしてしまうのを抑制する。
【００７８】
本実施の形態３は、制御部１００による他者作成のワンタッチ選択用ボタン２１のホーム画面への表示の制御が実施の形態１と異なる以外は、実施の形態１と異なるところがなく、特に言及した以外の構成や作用、効果については、実施の形態１の画像形成装置１０で説明した構成、作用、効果と同じであるため、説明を省略する。
なお、ホーム画面の表示領域に配置された選択用ボタン２１は、他者作成のワンタッチ選択用ボタン２１も含めて、ユーザの移動操作（例えば、ホーム画面に表示された選択用ボタン２１をドラッグアンドドロップする操作）によって、ホーム画面の表示領域内で任意の位置に移動させることができる。この移動操作の場合であっても、他者作成のワンタッチ選択用ボタン２１の配置については、上述した制御部１００の制御により、配置できる領域が制限されている。したがって、他者作成のワンタッチ選択用ボタン２１を、ユーザの操作により、そのように禁止されている領域へ移動することはできない。
【００７９】
［実施の形態４］
本実施の形態においては、制御部１００の制御により、他者作成のワンタッチ選択用ボタン２１をホーム画面の第１ページに配置するのを禁止するように制御するものであってもよい。すなわち、ユーザ以外の他者が作成したワンタッチ選択用ボタン２１は、制御部１００の制御により、ホーム画面の第２ページ以後の表示画面の表示領域に配置される。この場合の制御部１００による処理は、図２０に示す通り、ワンタッチ選択用ボタン２１の作成が完了して記憶部１０５に記憶されている（ステップ５０１）。制御部１００は、このワンタッチ選択用ボタン２１を表示部１０７のホーム画面の表示領域に配置するに際して、そのワンタッチ選択用ボタン２１の作成者に関する情報を取得する（ステップ５０２）。
【００８０】
作成者に関する情報は、作成されたワンタッチ選択用ボタン２１に対応づけられて記憶部１０５に記憶されている。そして、ホーム画面に配置するためにユーザによって選択されたワンタッチ選択用ボタン２１を制御部１００が読み出す際に、制御部１００が、そのワンタッチ選択用ボタン２１に対応づけられた作成者に関する情報を記憶部１０５から読み出すことで、ワンタッチ選択用ボタン２１の作成者に関する情報を取得する。
続いて、制御部１００は、読み出した作成者に関する情報に基づいて、そのワンタッチ選択用ボタン２１の作成者が、ユーザと一致するか否かを判断する（ステップ５０３）。ホーム画面のユーザについては、前述したように、ＩＤカードに記録されたＩＤ番号を読み取る方式等によって特定されているため、制御部１００は、ホーム画面のユーザとワンタッチ選択用ボタン２１の作成者とが一致するか否かを判断することができる。
【００８１】
制御部１００は、ワンタッチ選択用ボタン２１の作成者がユーザと一致しないと判断したとき（ステップ５０３でＮＯ）は、そのワンタッチ選択用ボタン２１を、ホーム画面の表示領域に配置するに際して、ホーム画面の第１ページ以後の２ページ以後のページに、その他者作成のワンタッチ選択用ボタン２１を配置する（ステップ５０５）。一方、制御部１００は、ワンタッチ選択用ボタン２１がユーザ自身によって作成されたワンタッチ選択用ボタン２１であると判断したとき（ステップ５０３でＹＥＳ）は、そのワンタッチ選択用ボタン２１を、ホーム画面の表示領域に配置する。このとき、ホーム画面の表示領域に既に表示されている選択用ボタン２１のうちの右隣にワンタッチ選択用ボタン２１を順次配置する。右隣に配置するスペースがない場合で、下段に配置するスペースがあるときは、その下段に左詰めで配置する。下段も配置スペースがない場合は、ホーム画面の次ページの表示画面に移って、その次ページの表示画面の表示領域において上段から左詰めで、順次配置する（ステップ５０４）。なお、本実施の形態では、第１ページの表示画面（第１の表示画面の一例）は、第２ページ以後の表示画面（第２の表示画面の一例）よりも優先して表示される表示画面である。
【００８２】
このようにワンタッチ選択用ボタン２１がホーム画面に配置された一例が、図２１である。図２１（Ａ）は、表示部１０７に、ホーム画面の第１ページの表示画面１０７ａがデフォルトで表示され、新たに表示する他者作成のワンタッチ選択用ボタン２１（「ワンタッチファックス送信」）がホーム画面の第２ページの表示画面１０７ｂに配置されているが、第２ページの表示画面１０７ｂは表示部１０７に表示されていない状態を示している。そして、表示部１０７に表示されているホーム画面の第１ページの「地」の部分に対してユーザが図示左方向へのフリック操作を行うことで、表示部１０７に表示される表示画面が、図２１（Ｂ）に示すように、第１ページの表示画面１０７ａから第２ページの表示画面１０７ｂに切り替わり、第２ページの表示画面１０７ｂに配置されていた他者作成のワンタッチ選択用ボタン２１（「ワンタッチファックス送信」）が表示される。
【００８３】
このように構成された実施の形態では、表示部１０７にデフォルト状態で表示されるホーム画面の第１ページの表示画面には、他者作成の選択用ボタン２１は配置されず、表示部１０７に表示される表示画面を切り替える操作（フリック操作等）の入力を経て、表示部１０７に他者作成の選択用ボタン２１が表示される。したがって、この実施の形態では、ワンタッチ選択用ボタン２１がユーザ以外の他者によって作成されている場合に、第１ページの表示画面１０７ａおよび第２ページの表示画面１０７ｂの両方に配置可能とした場合に比して、ユーザが誤って処理の指示をしてしまうのを抑制する。また、この実施の形態は、ユーザ以外の他者によって作成されたワンタッチ選択用ボタン２１を、優先的に表示される第１ページの表示画面１０７ａの表示領域に配置する場合に比してユーザが誤って処理の指示をしてしまうのを抑制する。
なお、図２１において、他者が作成したワンタッチ選択用ボタン２１は、ホーム画面のうち第２ページの表示画面１０７ｂの先頭となる左上の領域に配置されている。制御部１００による制御はこの形態に限定されるものではなく、第２ページの他の領域に配置してもよいし、第３ページ以後の表示画面（図示せず）に配置するように制御してもよい。
ただし、第２ページの表示画面１０７ｂに１つも選択用ボタン２１が配置されずに第３ページ以後の表示画面に他者作成のワンタッチ選択用ボタン２１が配置されると、他者作成のワンタッチ選択用ボタン２１を表示部１０７に表示させるまでに、空白のページ（第２ページの表示画面）を経由することになる。この場合、ユーザは第３ページの表示画面の存在自体を失念したり気付かなかったりするおそれも生じる。したがって、制御部１００は、空白のページが発生しないように、第２ページ以後の表示画面の表示領域に左上詰めで、他者作成のワンタッチ選択用ボタン２１を配置するように制御するのが好ましい。
【００８４】
本実施の形態４は、制御部１００による他者作成のワンタッチ選択用ボタン２１のホーム画面への表示の制御が実施の形態１と異なる以外は、実施の形態１と異なるところがなく、特に言及した以外の構成や作用、効果については、実施の形態１の画像形成装置１０で説明した構成、作用、効果と同じであるため、説明を省略する。
なお、ホーム画面の表示領域に配置された選択用ボタン２１は、他者作成のワンタッチ選択用ボタン２１も含めて、ユーザの移動操作（例えば、ホーム画面に表示された選択用ボタン２１をドラッグアンドドロップする操作）によって、ホーム画面の表示領域内で任意の位置に移動させることができる。この移動操作の場合であっても、他者作成のワンタッチ選択用ボタン２１の配置については、上述した制御部１００の制御により、配置できる領域が制限されている。したがって、他者作成のワンタッチ選択用ボタン２１をユーザの操作により、そのように禁止されている領域へ移動することはできない。
【００８５】
［実施の形態５］
上述した各実施の形態１〜４の画像形成装置１０は、制御部１００が、ダイレクトスタートのワンタッチ選択用ボタン２１や他者作成のワンタッチ選択用ボタン２１を、ホーム画面の表示領域に配置する際の領域を制限するように制御する。実施の形態５の画像形成装置１０は、これら実施の形態１〜４の画像形成装置１０において、配置される領域が制限されるダイレクトスタートのワンタッチ選択用ボタン２１や他者作成のワンタッチ選択用ボタン２１であっても、それらのダイレクトスタートのワンタッチ選択用ボタン２１や他者作成のワンタッチ選択用ボタン２１が選択されることによって、それらのワンタッチ選択用ボタン２１に関連付けられた処理の起動回数が予め設定された回数に達した後は、制御部１００が、ダイレクトスタートのワンタッチ選択用ボタン２１や他者作成のワンタッチ選択用ボタン２１を、禁止された領域へ移動することを許容する制御を行う。
【００８６】
すなわち、実施の形態１の画像形成装置１０は、ダイレクトスタートのワンタッチ選択用ボタン２１が、ホーム画面において、表示領域の中央部に対して左上側の領域に配置されることが禁止されている。しかし、実施の形態５の画像形成装置１０では、そのダイレクトスタートのワンタッチ選択用ボタン２１が予め設定された回数以上起動された後は、配置が禁止されている左上側の領域に移動することが、制御部１００の制御によって許容される。つまり、本実施の形態は、ダイレクトスタートのワンタッチ選択用ボタン２１が、そのダイレクトスタートのワンタッチ選択用ボタン２１に関連付けられた処理の利用状況に基づいて、制御部１００の制御により、配置が禁止された領域へ配置の禁止が解除され、または解除できる。
【００８７】
また、実施の形態２の画像形成装置１０は、ダイレクトスタートのワンタッチ選択用ボタン２１は、ホーム画面において、第１ページの表示画面１０７ａに配置されることが禁止されている。しかし、実施の形態５の画像形成装置１０では、そのダイレクトスタートのワンタッチ選択用ボタン２１が予め設定された回数以上起動された後は、ホーム画面において、配置が禁止されている第１ページの表示画面１０７ａに移動することが、制御部１００の制御によって許容される。つまり、本実施の形態は、ダイレクトスタートのワンタッチ選択用ボタン２１が、そのダイレクトスタートのワンタッチ選択用ボタン２１に関連付けられた処理の利用状況に基づいて、制御部１００の制御により、配置が禁止された領域へ配置の禁止が解除され、または解除できる。
【００８８】
また、実施の形態３の画像形成装置１０は、ユーザ以外の他者が作成したワンタッチ選択用ボタン２１は、ホーム画面において、表示領域の中央部に対して左上側の領域に配置されることが禁止されている。しかし、実施の形態５の画像形成装置１０では、その他者が作成したワンタッチ選択用ボタン２１が予め設定された回数以上起動された後は、配置が禁止されている左上側の領域に移動することが、制御部１００の制御によって許容される。つまり、本実施の形態は、ユーザ以外の他者によって作成されたワンタッチ選択用ボタン２１が、その他者作成のワンタッチ選択用ボタン２１に関連付けられた処理の利用状況に基づいて、制御部１００の制御により、配置が禁止された領域へ配置の禁止が解除され、または解除できる。
【００８９】
また、実施の形態４の画像形成装置１０は、ユーザ以外の他者が作成したワンタッチ選択用ボタン２１は、ホーム画面において、第１ページの表示画面１０７ａに配置されることが禁止されている。しかし、実施の形態５の画像形成装置１０では、その他者が作成したワンタッチ選択用ボタン２１が予め設定された回数以上起動された後は、ホーム画面において、配置が禁止されている第１ページの表示画面１０７ａに移動することが、制御部１００の制御によって許容される。つまり、本実施の形態は、ユーザ以外の他者によって作成されたワンタッチ選択用ボタン２１が、その他者作成のワンタッチ選択用ボタン２１に関連付けられた処理の利用状況に基づいて、制御部１００の制御により、配置が禁止された領域へ配置の禁止が解除され、または解除できる。
【００９０】
実施の形態５の画像形成装置１０において、ダイレクトスタートのワンタッチ選択用ボタン２１の起動回数や他者作成のワンタッチ選択用ボタン２１の起動回数は、これらのワンタッチ選択用ボタン２１が選択されて起動されるごとに制御部１００によって計数されていて、ワンタッチ選択用ボタン２１ごとの起動回数は記憶部１０５に記憶されている。そして、選択用ボタン２１のホーム画面の表示領域における移動の制御を行う制御部１００による処理は、図２２に示す通り、ユーザが、移動させようとするワンタッチ選択用ボタン２１をドラッグすると、制御部１００が移動操作を検知し（ステップ６０１）、制御部１００はそのワンタッチ選択用ボタン２１に対応づけられた作成者に関する情報を取得する（ステップ６０２）。
作成者に関する情報の取得は、実施の形態３，４で説明した通りである。
【００９１】
次いで、制御部１００は、そのワンタッチ選択用ボタン２１の起動回数を記憶部１０５から取得する（ステップ６０３）。続いて、制御部１００は、記憶部１０５から取得した起動回数が予め設定された回数以上か否かを判断する（ステップ６０４）。
予め設定された回数は、制御部１００のＲＯＭ１０３に、書き換え不能に記憶されていてもよいし、制御部１００のＲＡＭ１０４に、書き換え可能に記憶されていてもよい。また、この予め設定された回数は、例えばそのワンタッチ選択用ボタン２１が禁止領域に配置されていたとしても、ユーザがそのワンタッチ選択用ボタン２１を誤って選択して起動することがないと考えられる程度の回数として、実験的または経験的に予め設定された回数である。
【００９２】
記憶部１０５から取得した起動回数が予め設定された回数以上であると制御部１００が判断したとき（ステップ６０４においてＹＥＳ）は、制御部１００は、ユーザのドラッグアンドドロップの移動操作に対して、ホーム画面の表示領域の任意の領域への移動を許可し、ユーザがドロップの操作を行った領域に、そのワンタッチ選択用ボタン２１を配置する（ステップ６０５）。
【００９３】
一方、記憶部１０５から取得した起動回数が予め設定された回数未満であると制御部１００が判断したとき（ステップ６０４においてＮＯ）は、制御部１００は、そのワンタッチ選択用ボタン２１の作成者が、ユーザと一致するか否かを判断する（ステップ６０６）。ワンタッチ選択用ボタン２１の作成者がユーザと一致すると制御部１００が判断したとき（ステップ６０６においてＹＥＳ）は、制御部１００は、続いてそのワンタッチ選択用ボタン２１がダイレクトスタートのワンタッチ選択用ボタン２１か否かを判断する（ステップ６０７）。
そして、そのワンタッチ選択用ボタン２１がダイレクトスタートのワンタッチ選択用ボタン２１ではないと制御部１００が判断したとき（ステップ６０７においてＮＯ）は、制御部１００は、ユーザのドラッグアンドドロップの移動操作に対して、ホーム画面の表示領域の任意の領域への移動を許可し、ユーザがドロップの操作を行った領域に、そのワンタッチ選択用ボタン２１を配置する（ステップ６０５）。
【００９４】
一方、制御部１００は、そのワンタッチ選択用ボタン２１の作成者がユーザと一致しないと判断したとき（ステップ６０６においてＮＯ）、およびそのワンタッチ選択用ボタン２１がダイレクトスタートのワンタッチ選択用ボタン２１であると判断したとき（ステップ６０７においてＹＥＳ）は、制御部１００は、ユーザのドラッグアンドドロップの移動操作に対して、ホーム画面の表示領域のうち、そのワンタッチ選択用ボタン２１に対して禁止された領域への移動を許可しない。そして、制御部１００は、そのワンタッチ選択用ボタン２１に対して禁止された領域以外の領域の範囲での移動を許可する（ステップ６０８）。この結果、その許可された領域でユーザがドロップの操作を行った場合は、そのドロップの操作が行われた領域に、ワンタッチ選択用ボタン２１が配置され、禁止された領域でユーザがドロップの操作を行った場合は、ワンタッチ選択用ボタン２１は移動操作前の元の領域に戻って配置される。
【００９５】
このように、本実施の形態５の画像形成装置１０は、ダイレクトスタートのワンタッチ選択用ボタン２１やユーザ以外の作成者によって作成されているワンタッチ選択用ボタン２１であっても、その起動回数が予め設定された回数に到達した後は、不用意に実行されるおそれが低下しているため、各々禁止されていた領域へも配置することができる。
なお、実施の形態５は、所定の領域への配置が禁止されているワンタッチ選択用ボタン２１に関連付けられている処理の起動回数に応じて、配置が禁止されている所定の領域への配置の禁止を解除するものであるが、この配置の禁止の解除の処理は、起動回数に応じたものに限定されるものではない。すなわち、制御部１００は、所定の領域への配置が禁止されているワンタッチ選択用ボタン２１に関連付けられている処理の利用状況に応じて、配置が禁止されている所定の領域への配置の禁止を解除するものとしてもよい。
ここで、「処理の利用状況」とは、例えば、処理の実行回数や処理装置の処理時間、処理の受付回数など、処理がどの程度利用されたかを示すものである。ただし、これらの例示したものに限られず、例示したもの同士を複数組み合わせたものや、これら以外の他の情報を使って処理の利用状況を判断するものでも構わない。
【符号の説明】
【００９６】
１０…画像形成装置、２１…選択用ボタン、１００…制御部、１０５…記憶部、１０７…表示部
【図１】
2015114915.tif 000003
【図２】
2015114915.tif 000004
【図３】
2015114915.tif 000005
【図４】
2015114915.tif 000006
【図５】
2015114915.tif 000007
【図６】
2015114915.tif 000008
【図７】
2015114915.tif 000009
【図８】
2015114915.tif 000010
【図９】
2015114915.tif 000011
【図１０】
2015114915.tif 000012
【図１１】
2015114915.tif 000013
【図１２】
2015114915.tif 000014
【図１３】
2015114915.tif 000015
【図１４】
2015114915.tif 000016
【図１５】
2015114915.tif 000017
【図１６】
2015114915.tif 000018
【図１７】
2015114915.tif 000019
【図１８】
2015114915.tif 000020
【図１９】
2015114915.tif 000021
【図２０】
2015114915.tif 000022
【図２１】
2015114915.tif 000023
【図２２】
2015114915.tif 000024